(57)【要約】【課題】製造コストを抑止しつつ、画素の狭ピッチ化を可能とする【解決手段】データ信号ＶＤにより透過率が制御され、第１の方向に延在する液晶素子ＣＬと、データ線ＤＬと、データ線ＤＬを介して液晶素子ＣＬにデータ信号ＶＤを供給するデータ線駆動回路２０と、液晶素子ＣＬに光Ｌｓを照射する光源３０と、を備え、光源３０は、表示期間Ｆの一部または全部の期間において、液晶素子ＣＬにおける前記光の照射位置を、第１の方向に移動させ、データ線駆動回路２０は、光源３０が液晶素子ＣＬに光Ｌｓを照射するときに、液晶素子ＣＬの透過率を、液晶素子ＣＬに照射された光Ｌｓの照射位置において表示すべき階調に対応した透過率となるデータ信号ＶＤを、当該液晶素子ＣＬに供給することを特徴とする表示装置１。【選択図】図１
2014206668.tif 000002
【特許請求の範囲】
【請求項１】
データ信号により透過率が制御され、第１の方向に延在する電気光学素子と、
データ線と、
前記データ線を介して前記電気光学素子に前記データ信号を供給する供給部と、
前記電気光学素子に光を照射する光源と、
を備え、
前記光源は、
表示期間の一部または全部の期間において、
前記電気光学素子における前記光の照射位置を、前記第１の方向に移動させ、
前記供給部は、
前記光源が前記電気光学素子に前記光を照射するときに、
前記電気光学素子の透過率を、前記電気光学素子に照射された光の照射位置において表示すべき階調に対応した透過率となるデータ信号を、前記電気光学素子に供給する、
ことを特徴とする電気光学装置。
【請求項２】
前記表示期間は、
第１期間と、前記第１期間に後続する第２期間と、前記第２期間に後続する第３期間とを含み、
前記光源は、
前記電気光学素子に対して、第１色を有する第１の光、第２色を有する第２の光、及び、第３色を有する第３の光、の３色の光を照射することが可能であり、
前記第１期間において、前記第１の光を前記電気光学素子に照射し、且つ、前記電気光学素子における前記第１の光の照射位置を、第１の照射位置から、前記第１の方向に移動させ、
前記第２期間において、前記第２の光を前記電気光学素子に照射し、且つ、前記電気光学素子における前記第２の光の照射位置を、前記第１の照射位置から、前記第１の方向に移動させ、
前記第３期間において、前記第３の光を前記電気光学素子に照射し、且つ、前記電気光学素子における前記第３の光の照射位置を、前記第１の照射位置から、前記第１の方向に移動させる、
ことを特徴とする、請求項１に記載の電気光学装置。
【請求項３】
データ信号により透過率が制御される複数の電気光学素子と、
複数のデータ線と、
前記複数のデータ線を介して前記複数の電気光学素子のそれぞれに前記データ信号を供給する供給部と、
前記複数の電気光学素子に対して光を照射する光源と、
を備え、
前記複数の電気光学素子の各々は、
第１の方向に延在するように設けられ、
前記複数の電気光学素子は、
前記第１の方向に交差する第２の方向に一行に並ぶように設けられ、
前記光源は、
表示期間の一部または全部の期間において、
前記複数の電気光学素子における前記光の照射位置を、前記第１の方向に移動させ、
前記供給部は、
前記光源が、前記光を前記複数の電気光学素子に照射するときに、
前記光が照射される一の電気光学素子の透過率を、前記一の電気光学素子に照射された光の照射位置において表示すべき階調に対応した透過率となるデータ信号を、前記一の電気光学素子に供給する、
ことを特徴とする電気光学装置。
【請求項４】
前記光源が照射する光は、
前記第２の方向に広がりを有する直線状の光である、
ことを特徴とする、請求項３に記載の電気光学装置。
【請求項５】
前記表示期間は、
複数の単位期間からなり、
前記光源は、
一の単位期間において、前記複数の電気光学素子における前記光の照射位置を、第１の照射位置から、前記第２の方向に移動させ、
前記一の単位期間に後続する他の単位期間において、前記第１の照射位置よりも前記第１の方向に所定の距離だけ移動させた位置である第２の照射位置から、前記第２の方向に移動させる、
ことを特徴とする、請求項３に記載の電気光学装置。
【請求項６】
前記表示期間は、
第１期間と、前記第１期間に後続する第２期間と、前記第２期間に後続する第３期間とを含み、
前記光源は、
前記複数の電気光学素子に対して、第１色を有する第１の光、第２色を有する第２の光、及び、第３色を有する第３の光、の３色の光を照射することが可能であり、
前記第１期間において、前記第１の光を前記複数の電気光学素子に照射し、
前記第２期間において、前記第２の光を前記複数の電気光学素子に照射し、
前記第３期間において、前記第３の光を前記複数の電気光学素子に照射する、
ことを特徴とする、請求項３乃至５のうち何れか１項に記載の電気光学装置。
【請求項７】
前記電気光学装置は、
第１色を有する第１の光を透過させる第１のカラーフィルター、第２色を有する第２の光を透過させる第２のカラーフィルター、及び、第３色を有する第３の光を透過させる第３のカラーフィルターを含む、複数のカラーフィルターを備え、
前記光源は、
前記複数の電気光学素子に対して、前記第１の光の成分、前記第２の光の成分、及び、前記第３の光の成分、を含む所定の色の光を照射することが可能であり、
前記複数の電気光学素子は、
前記第１のカラーフィルターに対応して設けられる第１の電気光学素子と、前記第２のカラーフィルターに対応して設けられる第２の電気光学素子と、前記第３のカラーフィルターに対応して設けられる第３の電気光学素子と、を含む、
ことを特徴とする、請求項３乃至５のうち何れか１項に記載の電気光学装置。
【請求項８】
データ信号により透過率が制御される複数の電気光学素子と、
複数のデータ線と、
前記複数のデータ線を介して前記複数の電気光学素子のそれぞれに前記データ信号を供給する供給部と、
前記複数の電気光学素子に対して所定数の光を照射する光源と、
を備え、
前記複数の電気光学素子の各々は、
第１の方向に延在するように設けられ、
前記複数の電気光学素子は、
前記第１の方向に一列に並ぶ前記所定数の電気光学素子からなるブロックを含み、
前記光源は、
前記ブロックに含まれる前記所定数の電気光学素子に対して、前記所定数の光をそれぞれ照射し、
表示期間の一部または全部の期間において、前記複数の電気光学素子における前記所定数の光のそれぞれの照射位置を、前記第１の方向に移動させ、
前記供給部は、
前記光源が、前記所定数の光を前記複数の電気光学素子に照射するときに、
前記所定数の光のうち一の光が照射される一の電気光学素子の透過率を、前記一の電気光学素子に照射された前記一の光の照射位置において表示すべき階調に対応した透過率となるデータ信号を、前記一の電気光学素子に供給する、
ことを特徴とする電気光学装置。
【請求項９】
前記光源が照射する所定数の光の各々は、
前記第１の方向に交差する第２の方向に広がりを有する直線状の光であり、
前記複数の電気光学素子は、
前記ブロックを複数含み、
前記複数のブロックは、
前記第２の方向に一行に並ぶように設けられている、
ことを特徴とする、請求項８に記載の電気光学装置。
【請求項１０】
前記複数の電気光学素子は、
前記ブロックを複数含み、
前記複数のブロックは、
前記第１の方向に交差する第２の方向に一行に並ぶように設けられており、
前記表示期間は、
複数の単位期間からなり、
前記光源は、
前記複数の電気光学素子における前記所定数の光の各々の照射位置を、
一の単位期間において、前記第２の方向に移動させ、
前記一の単位期間に後続する他の単位期間において、前記一の単位期間における照射位置よりも前記第１の方向に所定の距離だけ移動させた位置において、前記第２の方向に移動させる、
ことを特徴とする、請求項９に記載の電気光学装置。
【請求項１１】
前記表示期間は、
第１期間と、前記第１期間に後続する第２期間と、前記第２期間に後続する第３期間とを含み、
前記ブロックは、
第１の電気光学素子と、前記第１の電気光学素子に対して前記第１の方向に隣り合う第２の電気光学素子と、前記第２の電気光学素子に対して前記第１の方向に隣り合う第３の電気光学素子と、を含み、
前記光源は、
前記複数の電気光学素子に対して、第１色を有する第１の光、第２色を有する第２の光、及び、第３色を有する第３の光、の３色の光を照射することが可能であり、
前記第１期間において、前記第１の光を前記第１の電気光学素子に照射し、前記第２の光を前記第２の電気光学素子に照射し、前記第３の光を前記第３の電気光学素子に照射し、
前記第２期間において、前記第１の光を前記第２の電気光学素子に照射し、前記第２の光を前記第３の電気光学素子に照射し、前記第３の光を前記第１の電気光学素子に照射し、
前記第３期間において、前記第１の光を前記第３の電気光学素子に照射し、前記第２の光を前記第１の電気光学素子に照射し、前記第３の光を前記第２の電気光学素子に照射する、
ことを特徴とする、請求項８乃至１０のうち何れか１項に記載の電気光学装置。
【請求項１２】
前記電気光学装置は、
第１色を有する第１の光を透過させる第１のカラーフィルター、第２色を有する第２の光を透過させる第２のカラーフィルター、及び、第３色を有する第３の光を透過させる第３のカラーフィルターを含む、複数のカラーフィルターを備え、
前記光源は、
前記複数の電気光学素子に対して、前記第１の光の成分、前記第２の光の成分、及び、前記第３の光の成分、の３成分を含む所定の色を有する所定数の光を照射することが可能であり、
前記複数の電気光学素子は、
前記第１のカラーフィルターに対応して設けられる第１の電気光学素子と、前記第２のカラーフィルターに対応して設けられる第２の電気光学素子と、前記第３のカラーフィルターに対応して設けられる第３の電気光学素子と、を含む、
ことを特徴とする、請求項８乃至１０のうち何れか１項に記載の電気光学装置。
【請求項１３】
請求項１乃至１２のうち何れか１項に記載の電気光学装置を具備する電子機器。
【発明の詳細な説明】
【技術分野】
【０００１】
本発明は、電気光学装置、及び、電子機器に関する。
【背景技術】
【０００２】
電気エネルギーによって光学特性が変化する電気光学素子を備えた電気光学装置の一例として液晶表示装置が知られている。液晶表示装置は、複数のデータ線と複数の走査線を備え、データ線と走査線との交差に対応して画素回路が設けられている。画素回路は、選択トランジスターと電気光学素子たる液晶素子とを含む。選択トランジスターは走査線を介して供給される走査信号に応じてオン状態とオフ状態が制御される。選択トランジスターがオン状態になると、データ線を介して供給されるデータ信号が液晶素子に印加される（例えば、特許文献１）。
この場合、表示の最小単位である画素は、液晶表示装置が備える画素回路と１対１に対応することになる。
【先行技術文献】
【特許文献】
【０００３】
【特許文献１】特開２０１１−１８６４５０号公報
【発明の概要】
【発明が解決しようとする課題】
【０００４】
ところで、近年、液晶表示装置の小型化または高精細化等のニーズが多く存在する。しかし、これらのニーズに応えるために液晶表示を小型化し、または画素を狭ピッチ化する場合、高密度で画素回路を配置する必要があった。そのため、液晶表示の小型化または画素の狭ピッチ化に伴い、液晶表示装置の製造において高い製造技術が要求されるようになり、製造コストが高くなることがあった。
【０００５】
本発明は上述した事情に鑑みてなされたものあり、製造コストを抑止しつつ、画素の狭ピッチ化を可能とすることを解決課題とする。
【課題を解決するための手段】
【０００６】
以上の課題を解決するために、本発明に係る電気光学装置は、データ信号により透過率が制御され、第１の方向に延在する電気光学素子と、データ線と、前記データ線を介して前記電気光学素子に前記データ信号を供給する供給部と、前記電気光学素子に光を照射する光源と、を備え、前記光源は、表示期間の一部または全部の期間において、前記電気光学素子における前記光の照射位置を、前記第１の方向に移動させ、前記供給部は、前記光源が前記電気光学素子に前記光を照射するときに、前記電気光学素子の透過率を、前記電気光学素子に照射された光の照射位置において表示すべき階調に対応した透過率となるデータ信号を、前記電気光学素子に供給することを特徴とする。
【０００７】
この発明によれば、光源が光の照射位置を移動させ、供給部が光の照射位置において表示すべき階調を規定するデータ信号を当該電気光学素子に供給するため、電気光学素子におけるそれぞれの位置において異なる階調を表示することができる。すなわち、この発明によれば、表示の最小単位である画素は、光源からの光の照射位置により決定される。このため、１の電気光学素子に対応して、複数の画素を設けることができるため、電気光学素子を高密度で配置することなく、画素の狭ピッチ化が可能となり、その結果、高精細な表示を低コストで実現することができる。
また、この発明によれば、電気光学素子のうち光源からの光の照射を受けた部分が表示に寄与する部分となる。すなわち、この発明における電気光学装置は、ある時刻において、表示に寄与する画素を光を照射することにより選択する。そのため、この発明に係る電気光学装置は、従来のように、画素を選択するための走査線を設ける必要は無く、また、従来のように、走査線から供給される信号によりオンオフが制御される選択トランジスタ―等を具備する画素回路を画素と１対１に対応して設ける必要が無い（そもそも、画素回路を設ける必要が無い）。すなわち、この発明によれば、電気光学装置の構造を簡素化することが可能となり、電気光学装置の製造コストを低減することが可能となる。
【０００８】
なお、この発明において、「電気光学素子」とは、例えば、液晶素子であってもよい。
また、「第１の方向に延在する電気光学素子」とは、例えば、当該電気光学素子の第１の方向における幅が、前記第１の方向に交差する第２の方向における幅よりも広いことを意味するものであってもよい。
【０００９】
また、上述した電気光学装置において、前記表示期間は、第１期間と、前記第１期間に後続する第２期間と、前記第２期間に後続する第３期間とを含み、前記光源は、前記電気光学素子に対して、第１色を有する第１の光、第２色を有する第２の光、及び、第３色を有する第３の光、の３色の光を照射することが可能であり、前記第１期間において、前記第１の光を前記電気光学素子に照射し、且つ、前記電気光学素子における前記第１の光の照射位置を、第１の照射位置から、前記第１の方向に移動させ、前記第２期間において、前記第２の光を前記電気光学素子に照射し、且つ、前記電気光学素子における前記第２の光の照射位置を、前記第１の照射位置から、前記第１の方向に移動させ、前記第３期間において、前記第３の光を前記電気光学素子に照射し、且つ、前記電気光学素子における前記第３の光の照射位置を、前記第１の照射位置から、前記第１の方向に移動させる、ことを特徴とすることが好ましい。
【００１０】
この態様によれば、電気光学素子は、第１期間において第１色を表示し、第２期間において第２色を表示し、第３期間において第３色を表示する。このため、１つの電気光学素子で３色を表示することができるため、３色の各々に対応して３個（３種類）の電気光学素子を設ける場合と比較して、電気光学装置の構造の簡素化、小型化、及び、高精細化が可能となる。
【００１１】
また、本発明に係る電気光学装置は、データ信号により透過率が制御される複数の電気光学素子と、複数のデータ線と、前記複数のデータ線を介して前記複数の電気光学素子のそれぞれに前記データ信号を供給する供給部と、前記複数の電気光学素子に対して光を照射する光源と、を備え、前記複数の電気光学素子の各々は、第１の方向に延在するように設けられ、前記複数の電気光学素子は、前記第１の方向に交差する第２の方向に一行に並ぶように設けられ、前記光源は、表示期間の一部または全部の期間において、前記複数の電気光学素子における前記光の照射位置を、前記第１の方向に移動させ、前記供給部は、前記光源が、前記光を前記複数の電気光学素子に照射するときに、前記光が照射される一の電気光学素子の透過率を、前記一の電気光学素子に照射された光の照射位置において表示すべき階調に対応した透過率となるデータ信号を、前記一の電気光学素子に供給する、ことを特徴とする。
【００１２】
また、上述した電気光学装置において、前記光源が照射する光は、前記第２の方向に広がりを有する直線状の光である、ことを特徴とすることが好ましい。
この態様によれば、直線状の１つの光を、複数の電気光学素子を同時に照射することができるため、各電気光学素子に対して個別に光を照射する場合と比較して、光源の構造及び光源から照射される光の照射位置の制御が容易となり、電気光学装置の製造コストを低く抑えることが可能となる。
【００１３】
また、上述した電気光学装置において、前記表示期間は、複数の単位期間からなり、前記光源は、一の単位期間において、前記複数の電気光学素子における前記光の照射位置を、第１の照射位置から、前記第２の方向に移動させ、前記一の単位期間に後続する他の単位期間において、前記第１の照射位置よりも前記第１の方向に所定の距離だけ移動させた位置である第２の照射位置から、前記第２の方向に移動させる、ことを特徴とすることが好ましい。
【００１４】
また、上述した電気光学装置において、前記表示期間は、第１期間と、前記第１期間に後続する第２期間と、前記第２期間に後続する第３期間とを含み、前記光源は、前記複数の電気光学素子に対して、第１色を有する第１の光、第２色を有する第２の光、及び、第３色を有する第３の光、の３色の光を照射することが可能であり、前記第１期間において、前記第１の光を前記複数の電気光学素子に照射し、前記第２期間において、前記第２の光を前記複数の電気光学素子に照射し、前記第３期間において、前記第３の光を前記複数の電気光学素子に照射する、ことを特徴とすることが好ましい。
【００１５】
また、上述した電気光学装置は、第１色を有する第１の光を透過させる第１のカラーフィルター、第２色を有する第２の光を透過させる第２のカラーフィルター、及び、第３色を有する第３の光を透過させる第３のカラーフィルターを含む、複数のカラーフィルターを備え、前記光源は、前記複数の電気光学素子に対して、前記第１の光の成分、前記第２の光の成分、及び、前記第３の光の成分、を含む所定の色の光を照射することが可能であり、前記複数の電気光学素子は、前記第１のカラーフィルターに対応して設けられる第１の電気光学素子と、前記第２のカラーフィルターに対応して設けられる第２の電気光学素子と、前記第３のカラーフィルターに対応して設けられる第３の電気光学素子と、を含む、ことを特徴とすることが好ましい。
【００１６】
この態様において、前記第２の電気光学素子は、前記第１の電気光学素子に対して前記第２の方向に隣り合い、前記第３の電気光学素子は、前記第２の電気光学素子に対して前記第２の方向に隣り合う、ことを特徴とするものであってもよい。
【００１７】
また、本発明に係る電気光学装置は、データ信号により透過率が制御される複数の電気光学素子と、複数のデータ線と、前記複数のデータ線を介して前記複数の電気光学素子のそれぞれに前記データ信号を供給する供給部と、前記複数の電気光学素子に対して所定数の光を照射する光源と、を備え、前記複数の電気光学素子の各々は、第１の方向に延在するように設けられ、前記複数の電気光学素子は、前記第１の方向に一列に並ぶ前記所定数の電気光学素子からなるブロックを含み、前記光源は、前記ブロックに含まれる前記所定数の電気光学素子に対して、前記所定数の光をそれぞれ照射し、表示期間の一部または全部の期間において、前記複数の電気光学素子における前記所定数の光のそれぞれの照射位置を、前記第１の方向に移動させ、前記供給部は、前記光源が、前記所定数の光を前記複数の電気光学素子に照射するときに、前記所定数の光のうち一の光が照射される一の電気光学素子の透過率を、前記一の電気光学素子に照射された前記一の光の照射位置において表示すべき階調に対応した透過率となるデータ信号を、前記一の電気光学素子に供給する、ことを特徴とする。
【００１８】
また、上述した電気光学装置において、前記光源が照射する所定数の光の各々は、前記第１の方向に交差する第２の方向に広がりを有する直線状の光であり、前記複数の電気光学素子は、前記ブロックを複数含み、前記複数のブロックは、前記第２の方向に一行に並ぶように設けられている、ことを特徴とすることが好ましい。
【００１９】
また、上述した電気光学装置において、前記複数の電気光学素子は、前記ブロックを複数含み、前記複数のブロックは、前記第１の方向に交差する第２の方向に一行に並ぶように設けられており、前記表示期間は、複数の単位期間からなり、前記光源は、前記複数の電気光学素子における前記所定数の光の各々の照射位置を、一の単位期間において、前記第２の方向に移動させ、前記一の単位期間に後続する他の単位期間において、前記一の単位期間における照射位置よりも前記第１の方向に所定の距離だけ移動させた位置において、前記第２の方向に移動させる、ことを特徴とすることが好ましい。
【００２０】
また、上述した電気光学装置において、前記表示期間は、第１期間と、前記第１期間に後続する第２期間と、前記第２期間に後続する第３期間とを含み、前記ブロックは、第１の電気光学素子と、前記第１の電気光学素子に対して前記第１の方向に隣り合う第２の電気光学素子と、前記第２の電気光学素子に対して前記第１の方向に隣り合う第３の電気光学素子と、を含み、前記光源は、前記複数の電気光学素子に対して、第１色を有する第１の光、第２色を有する第２の光、及び、第３色を有する第３の光、の３色の光を照射することが可能であり、前記第１期間において、前記第１の光を前記第１の電気光学素子に照射し、前記第２の光を前記第２の電気光学素子に照射し、前記第３の光を前記第３の電気光学素子に照射し、前記第２期間において、前記第１の光を前記第２の電気光学素子に照射し、前記第２の光を前記第３の電気光学素子に照射し、前記第３の光を前記第１の電気光学素子に照射し、前記第３期間において、前記第１の光を前記第３の電気光学素子に照射し、前記第２の光を前記第１の電気光学素子に照射し、前記第３の光を前記第２の電気光学素子に照射する、ことを特徴とすることが好ましい。
【００２１】
また、上述した電気光学装置は、前記電気光学装置は、第１色を有する第１の光を透過させる第１のカラーフィルター、第２色を有する第２の光を透過させる第２のカラーフィルター、及び、第３色を有する第３の光を透過させる第３のカラーフィルターを含む、複数のカラーフィルターを備え、前記光源は、前記複数の電気光学素子に対して、前記第１の光の成分、前記第２の光の成分、及び、前記第３の光の成分、の３成分を含む所定の色を有する所定数の光を照射することが可能であり、前記複数の電気光学素子は、前記第１のカラーフィルターに対応して設けられる第１の電気光学素子と、前記第２のカラーフィルターに対応して設けられる第２の電気光学素子と、前記第３のカラーフィルターに対応して設けられる第３の電気光学素子と、を含む、ことを特徴とすることが好ましい。
【００２２】
この態様において、前記第２の電気光学素子は、前記第１の電気光学素子に対して前記第１の方向に交差する第２の方向に隣り合い、前記第３の電気光学素子は、前記第２の電気光学素子に対して前記第２の方向に隣り合う、ことを特徴とするものであってよい。
【００２３】
また、本発明に係る電子機器は、上記のうち何れかの表示制御回路を備える電気光学装置、または、上記のうち何れかの電気光学装置を備えることを特徴とする。このような電子機器として、カーナビゲーション装置、パーソナルコンピュータ、テレビ、投射型表示装置、及び、携帯電話等が該当する。
【図面の簡単な説明】
【００２４】
【図１】本発明の第１実施形態に係る電気光学装置のブロック図である。
【図２】光源から照射される光の照射位置を説明するための説明図である。
【図３】電気光学装置の動作を説明するためのタイミングチャートである。
【図４】光源から照射される光の照射位置を説明するための説明図である。
【図５】電気光学装置の動作を説明するためのタイミングチャートである。
【図６】本発明の第２実施形態に係る光源から照射される光の照射位置を説明するための説明図である。
【図７】電気光学装置の動作を説明するためのタイミングチャートである。
【図８】光源から照射される光の照射位置を説明するための説明図である。
【図９】電気光学装置の動作を説明するためのタイミングチャートである。
【図１０】本発明の第３実施形態に係る電気光学装置のブロック図である。
【図１１】電気光学装置の動作を説明するためのタイミングチャートである。
【図１２】本発明の第４実施形態に係る電気光学装置のブロック図である。
【図１３】光源から照射される光の照射位置を説明するための説明図である。
【図１４】電気光学装置の動作を説明するためのタイミングチャートである。
【図１５】電子機器（投射型表示装置）の斜視図である。
【図１６】電子機器（パーソナルコンピュータ）の斜視図である。
【図１７】電子機器（携帯電話機）の斜視図である。
【発明を実施するための形態】
【００２５】
以下、本発明を実施するための形態について図面を参照して説明する。ただし、各図において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２６】
＜Ａ．第１実施形態＞
図１は、本発明の第１実施形態に係る表示装置１（「電気光学装置」の一例）のブロック図である。表示装置１は、表示パネル２と制御部５とを具備する。
【００２７】
制御部５には、図示省略した上位装置から、入力画像データＤｉｎが、同期信号に同期して供給される。
入力画像データＤｉｎとは、表示パネル２に設けられる複数の画素Ｐｘ（画素Ｐｘについては、図２において詳述する）の各々で表示すべき階調を規定するデータである。入力画像データＤｉｎは、例えば、各画素Ｐｘで表示すべき階調を８ビットで規定するデジタルデータであってもよい。
本実施形態において、表示パネル２に設けられる複数の画素Ｐｘの各々は、赤色Ｒ（「第１色」の一例）、緑色Ｇ（「第２色」の一例）、及び、青色Ｂ（「第３色」の一例）、を表示する。そして、入力画像データＤｉｎには、画素Ｐｘが赤色Ｒを表示する場合に、当該画素Ｐｘが表示すべき階調を規定する入力画像データＤｉｎＲと、緑色Ｇを表示する場合に、当該画素Ｐｘが表示すべき階調を規定する入力画像データＤｉｎＧと、青色Ｂを表示する場合に、当該画素Ｐｘが表示すべき階調を規定する入力画像データＤｉｎＢと、が含まれる。
同期信号とは、例えば、垂直同期信号Ｖｓｎｃ、水平同期信号Ｈｓｎｃ、及び、
ドットクロック信号Ｄｃｌｋを含む信号である。
【００２８】
制御部５は、上位装置から供給された同期信号に基づいて、後述する光源３０を制御する光源制御信号ＣｔｒＬと、後述するデータ線駆動回路２０を制御する駆動制御信号ＣｔｒＤと、を生成し、これらを表示パネル２に対して供給する。なお、駆動制御信号ＣｔｒＤ及び光源制御信号ＣｔｒＬには、垂直同期信号Ｖｓｎｃ、水平同期信号Ｈｓｎｃ、及び、ドットクロック信号Ｄｃｌｋが含まれる。
また、制御部５は、上位装置から供給された入力画像データＤｉｎに対してガンマ補正を施すことで、デジタルの画像データＤｘを生成し、これを駆動制御信号ＣｔｒＤに同期させて、表示パネル２に対して供給する。画像データＤｘには、入力画像データＤｉｎＲに対応する画像データＤｘＲと、入力画像データＤｉｎＧに対応する画像データＤｘＧと、入力画像データＤｉｎＢに対応する画像データＤｘＢと、が含まれる。
なお、画像データＤｘは、アナログの信号であってもよい。この場合、制御部５は、ＤＡ変換回路を備えるものであればよい。
【００２９】
表示パネル２は、複数の液晶素子ＣＬ（「電気光学素子」の一例）が設けられた表示部１０と、表示部１０に対して光Ｌｓを照射する光源３０と、複数の液晶素子ＣＬの各々に対応して設けられた複数のデータ線ＤＬと、複数の液晶素子ＣＬの各々の透過率を規定するデータ信号ＶＤを、データ線ＤＬを介して液晶素子ＣＬに供給するデータ線駆動回路２０と、を備える。
【００３０】
表示部１０には、縦３行×横Ｎ列の、「３×Ｎ」個の液晶素子ＣＬが設けられている（Ｎは、１≦Ｎを満たす自然数）。換言すれば、表示部１０には、図１において、ｙ軸方向（「第１の方向」の一例）に３行の液晶素子ＣＬが設けられ、ｘ軸方向（「第２の方向」の一例）にＮ列の液晶素子ＣＬが設けられている。
以下では、第ｋ行（ｋは、１≦ｋ≦３を満たす自然数）の第ｎ列（ｎは、１≦ｎ≦Ｎを満たす自然数）に位置する液晶素子ＣＬを、ＣＬｋ［ｎ］と称する。具体的には、第１行の第ｎ列に位置する液晶素子ＣＬを、ＣＬ１［ｎ］と称し、第２行の第ｎ列に位置する液晶素子ＣＬを、ＣＬ２［ｎ］と称し、第３行の第ｎ列に位置する液晶素子ＣＬを、ＣＬ３［ｎ］と称する。
また、各列に位置する３つの液晶素子ＣＬを、ブロックＢＬ［ｎ］と称する。具体的には、ブロックＢＬ［ｎ］は、液晶素子ＣＬ１［ｎ］、液晶素子ＣＬ２［ｎ］、及び、液晶素子ＣＬ３［ｎ］からなる、３つの液晶素子ＣＬにより構成される。
【００３１】
データ線駆動回路２０は、ＤＡ変換回路を備え、制御部５から供給されるデジタルの画像データＤｘに基づいて、アナログのデータ信号ＶＤを生成する。そして、データ線駆動回路２０は、データ線ＤＬを介して液晶素子ＣＬにデータ信号ＶＤを供給する。このデータ信号ＶＤにより、液晶素子ＣＬの透過率が決定される。
以下、液晶素子ＣＬｋ［ｎ］に対応して設けられるデータ線ＤＬを、データ線ＤＬｋ［ｎ］と称し、当該データ線ＤＬｋ［ｎ］を介して液晶素子ＣＬｋ［ｎ］に供給されるデータ信号ＶＤを、データ信号ＶＤｋ［ｎ］と称する。すなわち、液晶素子ＣＬｋ［ｎ］に対して、当該液晶素子に対応するデータ線ＤＬｋ［ｎ］を介して、当該液晶素子に対応するデータ信号ＶＤｋ［ｎ］を供給する。そして、液晶素子ＣＬｋ［ｎ］は、データ信号ＶＤｋ［ｎ］が供給されると、当該データ信号ＶＤｋ［ｎ］の示す値応じた透過率に設定される。
なお、データ線駆動回路２０は、駆動制御信号ＣｔｒＤに基づいて、各液晶素子ＣＬｋ［ｎ］に対してデータ信号ＶＤｋ［ｎ］を供給するタイミングを制御する。
【００３２】
光源３０は、表示部１０に対して、同時に３つの光Ｌｓを照射する。より具体的には、光源３０は、表示部１０に対して、赤色光ＬｓＲ（「第１の光」の一例）、緑色光ＬｓＧ（「第２の光」の一例）、及び、青色光ＬｓＢ（「第３の光」の一例）の、３つの光Ｌｓを照射する。
なお、光源３０は、３つの光Ｌｓ（ＬｓＲ、ＬｓＧ、ＬｓＢ）のそれぞれの照射位置と、照射するタイミングと、を光源制御信号ＣｔｒＬに基づいて制御する。
【００３３】
図２を参照しつつ、表示部１０における、３つの光Ｌｓの照射位置と、液晶素子ＣＬ及び画素Ｐｘの配置位置の関係について説明する。
図２に示すように、表示部１０は、１個の共通電極１２と、「３×Ｎ」個の液晶素子ＣＬにそれぞれ対応する「３×Ｎ」個の画素電極１１と、各画素電極１１及び共通電極１２の間に配置される液晶（図示省略）と、が設けられている。液晶素子ＣＬは、１個の画素電極１１、共通電極１２、及び、両電極間に設けられる液晶を含んで構成される。
図２に示すように、各液晶素子ＣＬ（画素電極１１）は、第１の方向、すなわち、ｙ軸方向に延在するように設けられ、ｙ軸方向に縦長となる形状を有する。すなわち、各液晶素子ＣＬのｙ軸方向の幅は、ｘ軸方向の幅に比べて広い。
【００３４】
また、表示部１０には、ブラックマトリクスＢＭ（図２においてハッチングをかけた部分）が設けられ、当該ブラックマトリクスＢＭによって、表示部１０が複数の画素Ｐｘに区画される。
より具体的には、ブラックマトリクスＢＭは、１個の液晶素子ＣＬが設けられる領域において、Ｍ個の画素Ｐｘがｙ軸方向に一列に配列されるように、表示部１０を区画する（Ｍは、１≦Ｍを満たす自然数）。すなわち、表示部１０には、縦３Ｍ行×横Ｎ列の「３Ｍ×Ｎ」個の画素Ｐｘが配置され、各列に、３個の液晶素子ＣＬと、「３×Ｍ」個の画素Ｐｘとを備える。
【００３５】
なお、本実施形態において、表示部１０には、表面側から順番に、ブラックマトリクスＢＭ、共通電極１２、液晶、及び、画素電極１１が設けられ、更に、画素電極１１よりも裏面側から、光Ｌｓが照射される。
但し、このような配置順は一例に過ぎず、光源３０から照射された光Ｌｓが、液晶を透過し、表示部１０の観察者側に至ることができれば、どのような順番で配置されるものであってもよい。
ここで、「表面側」とは、表示部１０の観察面側であり、図２では、紙面裏側が表面側に該当する。逆に、「裏面側」とは、表示部１０の観察面とは逆側であり、図２では、紙面表側が裏面側に該当する。
なお、本実施形態における表示部１０は、ブラックマトリクスＢＭを備えるが、ブラックマトリクスＢＭを備えないものであってもよい。この場合であっても、表示部１０における位置により、画素Ｐｘが定義される。
【００３６】
以下では、図２に示すように、縦３Ｍ行×横Ｎ列の「３Ｍ×Ｎ」個の画素Ｐｘのうち、第ｍ行第ｎ列に位置する画素Ｐｘを、画素Ｐｘ［ｍ］［ｎ］と表記する（ｍは、１≦ｍ≦３Ｍを満たす自然数）。つまり、１個の液晶素子ＣＬｋ［ｎ］に対応して、ｙ軸方向に一列に配列されたＭ個の画素Ｐｘ［(ｋ-1)*Ｍ+1］［ｎ］〜画素Ｐｘ［ｋＭ］［ｎ］が設けられる。換言すれば、Ｍ個の画素Ｐｘ［(ｋ-1)*Ｍ+1］［ｎ］〜画素Ｐｘ［ｋＭ］［ｎ］は、１個の液晶素子ＣＬｋ［ｎ］を共通して備える。
また、表示部１０における画素Ｐｘ［ｍ］［ｎ］のｘ軸方向の位置を位置Ｘｎと表し、ｙ軸方向の位置を位置Ｙｍと表す。つまり、第１列〜第Ｎ列の画素Ｐｘの位置は、それぞれ、位置Ｘ１〜ＸＮであり、第１行〜第３Ｍ行の画素Ｐｘの位置は、それぞれ、位置Ｙ１〜Ｙ３Ｍである。
【００３７】
光源３０は、赤色光ＬｓＲ、緑色光ＬｓＧ、及び、青色光ＬｓＢを、表示部１０に対して照射する。光源３０が照射する光Ｌｓは、第２の方向、すなわち、ｘ軸方向に広がりを有する「直線状」の光であり、表示部１０上における光Ｌｓの照射位置は、ｘ軸に平行な線分となる。
以下では、表示部１０における赤色光ＬｓＲの照射位置を表す線分を線分ＬＲと称し、緑色光ＬｓＧの照射位置を表す線分を線分ＬＧと称し、青色光ＬｓＢの照射位置を表す線分を線分ＬＢと称する。また、線分ＬＲ、ＬＧ、ＬＢのｙ軸方向の位置を、それぞれ、照射位置ＹＲ、ＹＧ、ＹＢと称する。なお、図２に示すように、線分ＬＲ、線分ＬＧ、及び、線分ＬＢは、ｘ軸方向において、少なくともＸ１≦ｘ≦ＸＮの範囲を含む線分である。
【００３８】
光源３０は、赤色光ＬｓＲ、緑色光ＬｓＧ、及び、青色光ＬｓＢを、それぞれ、互いに異なる液晶素子ＣＬに照射するとともに、図２において符号「ＭｖＹ」で表すように、これら３つの光Ｌｓの照射位置をｙ軸方向に移動させる。
図２では、赤色光ＬｓＲの照射位置ＹＲを表す線分ＬＲが、第１行の液晶素子ＣＬ１［ｎ］のうち、第２行の画素Ｐｘ［２］［ｎ］上の直線ｙ＝Ｙ２上に位置し（つまり、照射位置ＹＲ＝Ｙ２）、緑色光ＬｓＧの照射位置ＹＧを表す線分ＬＧが、第２行の液晶素子ＣＬ２［ｎ］のうち、第（Ｍ＋２）行の画素Ｐｘ［Ｍ＋２］［ｎ］上の直線ｙ＝ＹＭ＋２上に位置し（つまり、照射位置ＹＧ＝ＹＭ＋２）、青色光ＬｓＢの照射位置ＹＢを表す線分ＬＢが、第３行の液晶素子ＣＬ３［ｎ］のうち、第（２Ｍ＋２）行の画素Ｐｘ［２Ｍ＋２］［ｎ］上の直線ｙ＝Ｙ２Ｍ＋２上に位置する（つまり、照射位置ＹＢ＝Ｙ２Ｍ＋２）場合を例示している。
【００３９】
なお、以下に示す図では、簡単のために、「Ｍ＝１０」の場合を例示することがある。つまり、液晶素子ＣＬ１［ｎ］に対応して、画素Ｐｘ［１］［ｎ］〜Ｐｘ［１０］［ｎ］が設けられ、液晶素子ＣＬ２［ｎ］に対応して、画素Ｐｘ［１１］［ｎ］〜Ｐｘ［２０］［ｎ］が設けられ、液晶素子ＣＬ３［ｎ］に対応して、画素Ｐｘ［２１］［ｎ］〜Ｐｘ［３０］［ｎ］が設けられる場合を例示する場合がある。
【００４０】
図３は、表示装置１の動作を示すタイミングチャートである。
この図に示すように、表示装置１の動作期間は、複数の表示期間Ｆからなる。各表示期間Ｆは、（３Ｍ）個の単位期間Ｈを含む。
また、表示期間Ｆは、互いに等しい時間長を有する３つの制御期間Ｐに区分される。より具体的には、表示期間Ｆの開始時からＭ個の単位期間Ｈが経過するまでの期間を制御期間Ｐ１と称し、制御期間Ｐ１の終了時からＭ個の単位期間Ｈが経過するまでの期間を制御期間Ｐ２と称し、制御期間Ｐ２の終了時からＭ個の単位期間Ｈが経過するまでの期間を制御期間Ｐ３と称する。
【００４１】
上述のとおり、制御部５から供給される駆動制御信号ＣｔｒＤ及び光源制御信号ＣｔｒＬには、垂直同期信号Ｖｓｎｃ及び水平同期信号Ｈｓｎｃが含まれる。図３に示すように、垂直同期信号Ｖｓｎｃは、各表示期間Ｆが開始されるタイミングにおいてハイレベルとなる信号であり、水平同期信号Ｈｓｎｃは、各単位期間Ｈが開始されるタイミングにおいてハイレベルとなる信号である。
【００４２】
光源３０は、垂直同期信号Ｖｓｎｃ及び水平同期信号Ｈｓｎｃに基づいて定められる照射位置に対して、３つの光Ｌｓ（ＬｓＲ、ＬｓＧ、及び、ＬｓＢ）を照射する。
以下、図２に加え、図３及び図４を参照しつつ、光源３０により照射される３つの光Ｌｓの照射位置の一例について説明する。
【００４３】
図３に示すように、本実施形態において、光源３０は、３つの光Ｌｓ（ＬｓＲ、ＬｓＧ、ＬｓＢ）の照射位置（ＹＲ、ＹＧ、ＹＢ）が、互いに所定の間隔を保ち、且つ、各制御期間Ｐ（Ｐ１、Ｐ２、及び、Ｐ３）において、３つの光Ｌｓの各々の照射位置が、単位期間Ｈ毎に１画素分だけ（＋ｙ）方向に移動するように、当該３つの光Ｌｓを照射する。
【００４４】
具体的には、光源３０は、図３及び図４に示すように、制御期間Ｐ１において、赤色光ＬｓＲを液晶素子ＣＬ１［ｎ］に照射し、緑色光ＬｓＧを液晶素子ＣＬ２［ｎ］に照射し、青色光ＬｓＢを液晶素子ＣＬ３［ｎ］に照射する。
また、光源３０は、制御期間Ｐ２において、青色光ＬｓＢを液晶素子ＣＬ１［ｎ］に照射し、赤色光ＬｓＲを液晶素子ＣＬ２［ｎ］に照射し、緑色光ＬｓＧを液晶素子ＣＬ３［ｎ］に照射する。
また、光源３０は、制御期間Ｐ３において、緑色光ＬｓＧを液晶素子ＣＬ１［ｎ］に照射し、青色光ＬｓＢを液晶素子ＣＬ２［ｎ］に照射し、赤色光ＬｓＲを液晶素子ＣＬ３［ｎ］に照射する。
【００４５】
そして、光源３０は、各制御期間Ｐにおいて、３つの光Ｌｓのそれぞれの照射位置（ＹＲ、ＹＧ、ＹＢ）を、単位期間Ｈ毎に、１画素分だけ（＋ｙ）方向に移動させる。
例えば、制御期間Ｐ１において、光源３０は、赤色光ＬｓＲの照射位置ＹＲが、制御期間Ｐ１の最初の単位期間Ｈでは位置Ｙ１となり、その後、単位期間Ｈ毎に１画素分だけ（＋ｙ）方向に移動させ、制御期間Ｐ１の最後の単位期間Ｈにおいて位置Ｙ１０（ＹＭ）となるように、赤色光ＬｓＲを照射する。
同様に、光源３０は、制御期間Ｐ１において、緑色光ＬｓＧの照射位置ＹＧが、位置Ｙ１１（ＹＭ＋１）から位置Ｙ２０（Ｙ２Ｍ）に移動し、且つ、青色光ＬｓＢの照射位置ＹＢが、位置Ｙ２１（Ｙ２Ｍ＋１）から位置Ｙ３０（Ｙ３Ｍ）に移動するように、緑色光ＬｓＧ及び青色光ＬｓＢを照射する。
また、光源３０は、制御期間Ｐ２において、赤色光ＬｓＲの照射位置ＹＲが、位置Ｙ１１から位置Ｙ２０に移動し、緑色光ＬｓＧの照射位置ＹＧが、位置Ｙ２１から位置Ｙ３０に移動し、青色光ＬｓＢの照射位置ＹＢが、位置Ｙ１から位置Ｙ１０に移動するように、
３つの光Ｌｓを照射し、制御期間Ｐ３において、赤色光ＬｓＲの照射位置ＹＲが、位置Ｙ２１から位置Ｙ３０に移動し、緑色光ＬｓＧの照射位置ＹＧが、位置Ｙ１から位置Ｙ１０に移動し、青色光ＬｓＢの照射位置ＹＢが、位置Ｙ１１から位置Ｙ２０に移動するように、３つの光Ｌｓを照射する。
このように、光源３０は、各光Ｌｓの照射位置を、ある位置Ｙｍから、単位期間Ｈ毎に１画素ずつ（＋ｙ）方向に移動させる。そして、光源３０は、ある単位期間Ｈにおいて、光Ｌｓの照射位置が位置Ｙ３Ｍに到達した場合、次の単位期間Ｈに、当該光Ｌｓの照射位置を位置Ｙ１に移動させ、その後、更に、当該光Ｌｓの照射位置を単位期間Ｈ毎に１画素ずつ（＋ｙ）方向に移動させる。
【００４６】
データ線駆動回路２０は、画素Ｐｘに光Ｌｓが照射されるときに、当該光Ｌｓが照射される画素Ｐｘが表示すべき階調を規定するデータ信号ＶＤを、当該光Ｌｓが照射される画素Ｐｘに対応する液晶素子ＣＬに対して供給する。
具体的には、データ線駆動回路２０は、画素Ｐｘ［ｍ］［ｎ］が、液晶素子ＣＬｋ［ｎ］に対応して設けられる場合（つまり、画素Ｐｘ［ｍ］［ｎ］が、液晶素子ＣＬｋ［ｎ］を備える場合）、当該画素Ｐｘ［ｍ］［ｎ］に赤色光ＬｓＲが照射される単位期間Ｈにおいて、当該画素Ｐｘ［ｍ］［ｎ］が赤色Ｒを表示するときの階調を規定するデータ信号ＶＲｍ［ｎ］を、データ信号ＶＤｋ［ｎ］として液晶素子ＣＬｋ［ｎ］に供給する。
また、データ線駆動回路２０は、当該画素Ｐｘ［ｍ］［ｎ］に緑色光ＬｓＧが照射される単位期間Ｈにおいて、当該画素Ｐｘ［ｍ］［ｎ］が緑色Ｇを表示するときの階調を規定するデータ信号ＶＧｍ［ｎ］を、データ信号ＶＤｋ［ｎ］として液晶素子ＣＬｋ［ｎ］に供給する。
また、データ線駆動回路２０は、当該画素Ｐｘ［ｍ］［ｎ］に青色光ＬｓＢが照射される単位期間Ｈにおいて、当該画素Ｐｘ［ｍ］［ｎ］が青色Ｂを表示するときの階調を規定するデータ信号ＶＢｍ［ｎ］を、データ信号ＶＤｋ［ｎ］として液晶素子ＣＬｋ［ｎ］に供給する。
【００４７】
例えば、図３に示すように、データ線駆動回路２０は、制御期間Ｐ１の最初の単位期間Ｈにおいて、赤色光ＬｓＲが照射される画素Ｐｘ［１］［ｎ］（つまり、照射位置ＹＲに位置する画素Ｐｘ）に対応する液晶素子ＣＬ１［ｎ］に対して、画素Ｐｘ［１］［ｎ］が赤色Ｒを表示する場合において画素Ｐｘ［１］［ｎ］が表示すべき階調を規定したデータ信号ＶＲ１［ｎ］を供給する。
同様に、データ線駆動回路２０は、制御期間Ｐ１の２番目の単位期間Ｈにおいて、赤色光ＬｓＲが照射される画素Ｐｘ［２］［ｎ］に対応する液晶素子ＣＬ１［ｎ］に対して、画素Ｐｘ［２］［ｎ］が赤色Ｒを表示する場合において画素Ｐｘ［２］［ｎ］が表示すべき階調を規定したデータ信号ＶＲ２［ｎ］を供給する。
【００４８】
このように、各単位期間Ｈにおいて、液晶素子ＣＬｋ［ｎ］は、当該液晶素子ＣＬｋ［ｎ］に対応して設けられるＭ個の画素Ｐｘのうち、当該単位期間Ｈに光Ｌｓが照射される画素Ｐｘが表示すべき階調に対応する透過率に設定される。
なお、液晶素子ＣＬｋ［ｎ］は、Ｍ個の画素Ｐｘに共通に設けられる。そのため、一の単位期間Ｈにおいて、一の画素Ｐｘに対して光Ｌｓが照射される場合、当該一の単位期間Ｈにおいて光Ｌｓが照射されない（Ｍ−１）個の他の画素Ｐｘの構成要素である液晶素子ＣＬ（液晶素子ＣＬｋ［ｎ］）の透過率も、一の画素Ｐｘが表示すべき階調に対応する透過率となる。
しかし、当該一の単位期間Ｈにおいて、一の画素Ｐｘ以外の他の画素Ｐｘには、光Ｌｓが照射されない。よって、当該一の単位期間Ｈにおいて、他の画素Ｐｘが、本来表示すべき階調とは異なる階調を表示することを防止することができる。換言すれば、各単位期間Ｈにおいて、液晶素子ＣＬｋ［ｎ］に対応して設けられるＭ個の画素Ｐｘのうち、当該単位期間Ｈに光Ｌｓが照射される一の画素Ｐｘのみが表示に寄与する。
【００４９】
また、各画素Ｐｘには、各表示期間Ｆにおいて、赤色光ＬｓＲ、緑色光ＬｓＧ、及び、青色光ＬｓＢの３つの光Ｌｓが照射される。
例えば、図２及び図３からも明らかなように、画素Ｐｘ［１］［ｎ］には、制御期間Ｐ１において、赤色光ＬｓＲが照射され、制御期間Ｐ２において、青色光ＬｓＢが照射され、制御期間Ｐ３において、緑色光ＬｓＧが照射される。
すなわち、本実施形態に係る表示装置１は、各表示期間Ｆにおいて、各画素Ｐｘが、赤色Ｒ、緑色Ｇ、及び、青色Ｂの３色を表示する。
【００５０】
以上で説明したように、本実施形態では、Ｍ個の画素Ｐｘに対して、１個の液晶素子ＣＬ（１個の画素電極１１）が共通して設けられる。つまり、本実施形態の表示装置１は、表示部１０に設けられる液晶素子ＣＬの個数のＭ倍の解像度を有することになる。
このため、複数の画素Ｐｘと１対１に対応するように複数の液晶素子ＣＬを設ける場合と比較して、各液晶素子ＣＬのサイズを大きくすることができ（つまり、液晶素子ＣＬの小型化が不要となり）、表示部１０の構造を簡素化することができるとともに、表示装置１の製造コストを低く抑えることができる。
【００５１】
従来、液晶素子を備える表示装置は、例えば、複数の走査線と、複数のデータ線と、複数の走査線及び複数のデータ線の交差に対応して設けられる複数の画素と、を備える。そして、各画素は、画素電極、共通電極、及び、画素電極及び共通電極の間に設けられる液晶を具備する液晶素子と、データ線と画素電極の間に設けられ、走査線から供給される操作信号によりオンオフが制御される選択トランジスターと、を備える。そして、画素に対応する走査線に走査信号を供給し、選択トランジスターをオンさせることで、当該画素を選択するとともに、当該選択された画素に対応するデータ線にデータ信号を供給することで、当該画素に、データ信号の規定する階調を表示させる。
しかし、このような、従来の液晶表示装置では、画素毎に選択トランジスターと、画素電極と、を設ける必要があり、また、行毎に走査線を設ける必要があった。
【００５２】
これに対して、本実施形態に係る表示装置１は、Ｍ個の画素Ｐｘに対して１個の液晶素子ＣＬ（１個の画素電極１１）が共通して設けられ、また、各液晶素子ＣＬの画素電極１１には、１本のデータ線が接続される。そして、本実施形態に係る表示装置１は、画素Ｐｘに光Ｌｓを照射することで、光Ｌｓを照射された画素Ｐｘに、データ信号ＶＤが規定する階調（つまり、入力画像データＤｉｎの指定する階調）を表示させる。つまり、本実施形態に係る表示装置１は、表示部１０において、選択トランジスター等のＴＦＴ（thin film transistor）素子を備えず、また、走査線も備えない。
このため、本実施形態に係る表示装置１は、従来の液晶表示装置に比べて、表示部１０の構造を簡素化することができるとともに、表示装置１の製造コストを低く抑えることができる。
【００５３】
また、本実施形態に係る表示装置１は、各表示期間Ｆにおいて、１個の画素Ｐｘが、赤色Ｒ、緑色Ｇ、及び、青色Ｂの３色を表示する。このため、赤色Ｒ、緑色Ｇ、及び、青色Ｂのそれぞれに対応する３種類の画素Ｐｘを個別に設ける場合と比較して、約３倍の解像度を得ることができ、表示を高精細化することができる。
【００５４】
なお、本実施形態において、光源３０は、光Ｌｓの照射位置を、一の単位期間Ｈ内においては変化させず、単位期間Ｈの終了時（または開始時）にｙ軸方向に１画素分移動させることで、光Ｌｓの照射位置を単位期間Ｈ毎にｙ軸方向に１画素分移動させるが、本発明はこのような態様に限定されるものではない。
例えば、光源３０は、図５に示すように、光Ｌｓの照射位置を、連続的に（例えば一定の速度で）移動させてもよい。
要するに、光源３０は、各単位期間Ｈにおいて表示に寄与する画素Ｐｘに対してのみ光Ｌｓを照射し、各単位期間Ｈにおいて表示に寄与しない画素Ｐｘに対しては光Ｌｓを照射しないように、光Ｌｓを照射するものであればよい。
【００５５】
すなわち、光源３０は、以下に示す条件（１）及び（２）を満たすように、当該３つの光Ｌｓを照射するものであればよい。
(１)  一の液晶素子ＣＬに対して、同時に２以上の光Ｌｓが照射されないこと。
(２)  一の単位期間Ｈにおいて、一の光Ｌｓを一の液晶素子ＣＬに照射する場合、当該一の単位期間Ｈにおいて、当該一の液晶素子ＣＬが備えるＭ個の画素Ｐｘのうち、一の画素Ｐｘのみに対して光Ｌｓが照射されること（つまり、当該一の単位期間Ｈにおいて、当該一の液晶素子ＣＬが備える残りの「Ｍ−１」個の液晶素子ＣＬには当該一の光Ｌｓが照射されないこと）。
また、より好ましくは、光源３０は、上述した（１）及び（２）に加え、以下に示す条件（３）を満たすように、当該３つの光Ｌｓを照射するものであってもよい。
(３)  各表示期間Ｆにおいて、全ての液晶素子ＣＬに対応する全ての画素Ｐｘに対して各光Ｌｓを照射すること。
＜Ｂ．第２実施形態＞
【００５６】
第１実施形態では、光源３０が照射する光Ｌｓは、ｘ軸方向に広がりを有する直線状の光であり、表示部１０上における光Ｌｓの照射位置は、ｘ軸に平行な線分であった。
これに対して、第２実施形態に係る表示装置（「電気光学装置」の一例）は、光源が、ｘ軸方向及びｙ軸方向の双方に広がりを有さない「点状」の光を照射する点において、第１実施形態に係る表示装置１と相違する。
以下、図６乃至図９を参照しつつ、第２実施形態に係る表示装置（以下、「表示装置１Ａ」と称する）について説明する。
【００５７】
第２実施形態に係る表示装置１Ａは、直線状の光Ｌｓを照射する光源３０の代わりに、点状の光Ｐｓを照射する光源（以下、「光源３０Ａ」と称する）を備える点を除き、図１に示す第１実施形態に係る表示装置１と同様に構成される。
なお、以下に例示する各形態において作用や機能が第１実施形態と同等である要素については、以上の説明で参照した符号を流用して各々の詳細な説明を適宜に省略する（以下で説明する実施形態及び変形例についても同様）。
【００５８】
図６は、光源３０Ａが照射する光Ｐｓの、表示部１０における照射位置を説明するための説明図である。
図６に示すように、光源３０Ａは、表示部１０に対して３つの光Ｐｓを照射する。より具体的には、光源３０Ａは、表示部１０に対して、赤色光ＰｓＲ（「第１の光」の一例）、緑色光ＰｓＧ（「第２の光」の一例）、及び、青色光ＰｓＢ（「第３の光」の一例）の、３つの光Ｐｓを照射する。
以下では、表示部１０における赤色光ＰｓＲの照射位置を表す点を点ＰＲと称し、緑色光ＰｓＧの照射位置を表す点を点ＰＧと称し、青色光ＰｓＢの照射位置を表す点を点ＰＢと称する。また、点ＰＲ、点ＰＲ、点ＰＢのｘ軸方向の位置を、それぞれ、照射位置ＸＲ、ＸＧ、ＸＢと称し、ｙ軸方向の位置を、それぞれ、照射位置ＹＲ、ＹＧ、ＹＢと称する。
【００５９】
光源３０は、赤色光ＰｓＲ、緑色光ＰｓＧ、及び、青色光ＰｓＢを、それぞれ、互いに異なる液晶素子ＣＬに照射する。また、光源３０は、図６において符号「ＭｖＸ」で表すように、各単位期間Ｈにおいて、これら３つの光Ｐｓの照射位置をｘ軸方向に移動させるとともに、図６において符号「ＭｖＹ」で表すように、各制御期間Ｐにおいて、これら３つの光Ｐｓの照射位置をｙ軸方向に移動させる。
【００６０】
図７は、表示装置１Ａの動作を示すタイミングチャートである。
この図に示すように、ドットクロック信号Ｄｃｌｋは、区分期間Ｔｘ毎にローレベルからハイレベルに立ち上がる信号である。このドットクロック信号Ｄｃｌｋにより、単位期間Ｈは、Ｎ個の区分期間Ｔｘに区分される。
【００６１】
光源３０Ａは、垂直同期信号Ｖｓｎｃ、水平同期信号Ｈｓｎｃ、及び、ドットクロック信号Ｄｃｌｋに基づいて定められる照射位置に対して、３つの光Ｐｓ（ＰｓＲ、ＰｓＧ、及び、ＰｓＢ）を照射する。
より具体的には、光源３０Ａは、図７に示すように、各単位期間Ｈにおいて、３つの光Ｐｓの各々のｘ軸方向の照射位置（ＸＲ、ＸＧ、ＸＢ）が、区分期間Ｔｘ毎に１画素に相当する距離（「所定の距離」の一例）だけ（＋ｘ）方向に移動するように、当該３つの光Ｐｓを照射する。
すなわち、光源３０Ａは、３つの光Ｐｓの照射位置が、各単位期間Ｈにおいて、最初の区分期間Ｔｘでは位置Ｘ１となり、その後、区分期間Ｔｘ毎に１画素分だけ（＋ｘ）方向に移動させ、当該単位期間Ｈの最後の区分期間Ｔｘにおいて位置Ｘ１０（ＸＭ）となるように、３つの光Ｐｓを照射する。
【００６２】
なお、光源３０Ａは、図３または図５に示す第１実施形態における光源３０と同様に、各制御期間Ｐにおいて、３つの光Ｌｓのそれぞれのｙ軸方向の照射位置（ＹＲ、ＹＧ、ＹＢ）を、単位期間Ｈ毎に、１画素分だけ（＋ｙ）方向に移動させる。
すなわち、光源３０Ａは、各制御期間Ｐにおいて、一の単位期間Ｈのｎ番目の区分期間Ｔｘおける一の光Ｐｓの照射位置（「第１の照射位置」の一例）が（Ｘｎ、Ｙｎ）である場合、当該一の単位期間Ｈに後続する他の単位期間Ｈのｎ番目の区分期間Ｔｘにおける当該一の光Ｐｓの照射位置（「第２の照射位置」の一例）が（Ｘｎ、Ｙｎ＋１）となるように、当該一の光Ｐｓを照射する。
【００６３】
本実施形態において、データ線駆動回路２０は、画素Ｐｘに光Ｐｓが照射されるときに、当該光Ｐｓが照射される画素Ｐｘが表示すべき階調を規定するデータ信号ＶＤを、当該光Ｐｓが照射される画素Ｐｘに対応する液晶素子ＣＬに対して供給する。
具体的には、本実施形態において、データ線駆動回路２０は、画素Ｐｘ［ｍ］［ｎ］が、液晶素子ＣＬｋ［ｎ］に対応して設けられる場合、当該画素Ｐｘ［ｍ］［ｎ］に赤色光ＰｓＲが照射される区分期間Ｔｘにおいて、当該画素Ｐｘ［ｍ］［ｎ］が赤色Ｒを表示するときの階調を規定するデータ信号ＶＲｍ［ｎ］を、データ信号ＶＤｋ［ｎ］として液晶素子ＣＬｋ［ｎ］に供給し、当該画素Ｐｘ［ｍ］［ｎ］に緑色光ＰｓＧが照射される区分期間Ｔｘにおいて、当該画素Ｐｘ［ｍ］［ｎ］が緑色Ｇを表示するときの階調を規定するデータ信号ＶＧｍ［ｎ］を、データ信号ＶＤｋ［ｎ］として液晶素子ＣＬｋ［ｎ］に供給し、当該画素Ｐｘ［ｍ］［ｎ］に青色光ＰｓＢが照射される区分期間Ｔｘにおいて、当該画素Ｐｘ［ｍ］［ｎ］が青色Ｂを表示するときの階調を規定するデータ信号ＶＢｍ［ｎ］を、データ信号ＶＤｋ［ｎ］として液晶素子ＣＬｋ［ｎ］に供給する。
【００６４】
例えば、データ線駆動回路２０は、図７及び図８に示すように、一の単位期間Ｈにおいて、画素Ｐｘ［１］［１］〜Ｐｘ［１］［Ｎ］に赤色光ＰｓＲが照射され、画素Ｐｘ［１１］［１］〜Ｐｘ［１１］［Ｎ］に緑色光ＰｓＧが照射され、画素Ｐｘ［２１］［１］〜Ｐｘ［２１］［Ｎ］に青色光ＰｓＢが照射される場合、画素Ｐｘ［１］［１］〜Ｐｘ［１］［Ｎ］のそれぞれが表示すべき階調を規定するデータ信号ＶＲ１［１］〜ＶＲ１［Ｎ］を、データ信号ＶＤ１［１］〜ＶＤ１［Ｎ］として液晶素子ＣＬ１［１］〜ＣＬ１［Ｎ］のそれぞれに供給する。また、この場合、データ線駆動回路２０は、画素Ｐｘ［１１］［１］〜Ｐｘ［１１］［Ｎ］のそれぞれが表示すべき階調を規定するデータ信号ＶＧ１１［１］〜ＶＧ１１［Ｎ］を、データ信号ＶＤ２［１］〜ＶＤ２［Ｎ］として液晶素子ＣＬ２［１］〜ＣＬ２［Ｎ］のそれぞれに供給する。また、この場合、データ線駆動回路２０は、画素Ｐｘ［２１］［１］〜Ｐｘ［２１］［Ｎ］のそれぞれが表示すべき階調を規定するデータ信号ＶＢ２１［１］〜ＶＢ２１［Ｎ］を、データ信号ＶＤ３［１］〜ＶＤ３［Ｎ］として液晶素子ＣＬ３［１］〜ＣＬ３［Ｎ］のそれぞれに供給する。
そして、データ線駆動回路２０は、当該一の単位期間Ｈに後続する他の単位期間Ｈにおいては、画素Ｐｘ［２］［１］〜Ｐｘ［２］［Ｎ］に赤色光ＰｓＲが照射され、画素Ｐｘ［１２］［１］〜Ｐｘ［１２］［Ｎ］に緑色光ＰｓＧが照射され、画素Ｐｘ［２２］［１］〜Ｐｘ［２２］［Ｎ］に青色光ＰｓＢが照射されるため、画素Ｐｘ［２］［１］〜Ｐｘ［２］［Ｎ］のそれぞれが表示すべき階調を規定するデータ信号ＶＲ２［１］〜ＶＲ２［Ｎ］を、データ信号ＶＤ１［１］〜ＶＤ１［Ｎ］として液晶素子ＣＬ１［１］〜ＣＬ１［Ｎ］のそれぞれに供給する。また、当該他の単位期間Ｈにおいて、データ線駆動回路２０は、画素Ｐｘ［１２］［１］〜Ｐｘ［１２］［Ｎ］のそれぞれが表示すべき階調を規定するデータ信号ＶＧ１２［１］〜ＶＧ１２［Ｎ］を、データ信号ＶＤ２［１］〜ＶＤ２［Ｎ］として液晶素子ＣＬ２［１］〜ＣＬ２［Ｎ］のそれぞれに供給する。また、当該他の単位期間Ｈにおいて、データ線駆動回路２０は、画素Ｐｘ［２２］［１］〜Ｐｘ［２２］［Ｎ］のそれぞれが表示すべき階調を規定するデータ信号ＶＢ２２［１］〜ＶＢ２２［Ｎ］を、データ信号ＶＤ３［１］〜ＶＤ３［Ｎ］として液晶素子ＣＬ３［１］〜ＣＬ３［Ｎ］のそれぞれに供給する。
この結果、図８に示すように、例えば、制御期間Ｐ１において、液晶素子ＣＬ１［ｎ］に対応する画素Ｐｘ［１］［ｎ］〜Ｐｘ［１０］［ｎ］のそれぞれが赤色Ｒを表示し、液晶素子ＣＬ２［ｎ］に対応する画素Ｐｘ［１１］［ｎ］〜Ｐｘ［２０］［ｎ］のそれぞれが緑色Ｇを表示し、液晶素子ＣＬ３［ｎ］に対応する画素Ｐｘ［２１］［ｎ］〜Ｐｘ［３０］［ｎ］のそれぞれが青色Ｂを表示する。
そして、図示は省略するが、制御期間Ｐ２において、液晶素子ＣＬ１［ｎ］に対応する画素Ｐｘが青色Ｂを表示し、液晶素子ＣＬ２［ｎ］に対応する画素Ｐｘが赤色Ｒを表示し、液晶素子ＣＬ３［ｎ］に対応する画素Ｐｘが緑色Ｇを表示する。また、制御期間Ｐ３において、液晶素子ＣＬ１［ｎ］に対応する画素Ｐｘが緑色Ｇを表示し、液晶素子ＣＬ２［ｎ］に対応する画素Ｐｘが青色Ｂを表示し、液晶素子ＣＬ３［ｎ］に対応する画素Ｐｘが赤色Ｒを表示する。
【００６５】
なお、本実施形態では、データ線駆動回路２０は、画素Ｐｘ［ｍ］［ｎ］に光Ｐｓが照射される区分期間Ｔｘにおいて、当該画素Ｐｘ［ｍ］［ｎ］が表示すべき階調を規定するデータ信号ＶＤｋ［ｎ］を、当該画素Ｐｘ［ｍ］［ｎ］に対応する液晶素子ＣＬｋ［ｎ］に供給するが、本発明はこのような態様に限定されるものではない。
例えば、単位期間Ｈにおいて、区分期間Ｔｘ毎に画素Ｐｘ［ｍ］［１］〜Ｐｘ［ｍ］［Ｎ］に対して光Ｐｓが順番に照射される場合、データ線駆動回路２０は、当該単位期間Ｈが開始されるタイミングで、画素Ｐｘ［ｍ］［１］〜Ｐｘ［ｍ］［Ｎ］に対応する液晶素子ＣＬｋ［１］〜ＣＬｋ［Ｎ］に対して、データ信号ＶＤｋ［１］〜ＶＤｋ［Ｎ］を同時に供給してもよい。
【００６６】
また、本実施形態において、光源３０Ａは、光Ｐｓの照射位置を、一の区分期間Ｔｘ内においては変化させず、区分期間Ｔｘの終了時（または開始時）にｘ軸方向に１画素分移動させることで、光Ｐｓの照射位置を区分期間Ｔｘ毎にｘ軸方向に１画素分移動させるが、本発明はこのような態様に限定されるものではない。
例えば、光源３０Ａは、図９に示すように、光Ｐｓの照射位置を、連続的に（例えば一定の速度で）移動させてもよい。
要するに、光源３０は、各区分期間Ｔｘにおいて表示に寄与する画素Ｐｘに対してのみ光Ｐｓを照射し、各区分期間Ｔｘにおいて表示に寄与しない画素Ｐｘに対しては光Ｐｓを照射しないように、光Ｐｓを照射するものであればよい。
すなわち、光源３０Ａは、上述した条件（１）及び（２）を満たすように、３つの光Ｐｓを照射するものであればよい。
＜Ｃ．第３実施形態＞
【００６７】
第１実施形態に係る表示装置１は、縦３行×横Ｎ列の「３×Ｎ」個の液晶素子ＣＬが設けられた表示部１０を備え、同時に３つの光Ｌｓを照射する光源３０を備えるものであった。
これに対して、第３実施形態に係る表示装置は、縦１行×横Ｎ列のＮ個の液晶素子ＣＬが設けられた表示部を備え、同時に１つの光Ｌｓを照射する光源を備える点において、第１実施形態に係る表示装置１と相違する。以下、図１０及び図１１を参照しつつ、第３実施形態に係る表示装置について説明する。
【００６８】
図１０は、本発明の第３実施形態に係る表示装置１Ｂ（「電気光学装置」の一例）のブロック図である。図１０に示す表示装置１Ｂは、表示パネル２の代わりに、表示パネル２Ｂを備える点を除き、図１に示す第１実施形態に係る表示装置１と同様に構成される。
表示パネル２Ｂは、表示部１０Ｂと、光源３０Ｂと、データ線駆動回路２０Ｂと、データ線ＤＬと、を備える。
【００６９】
図１０に示すように、表示部１０Ｂには、縦１行×横Ｎ列のＮ個の液晶素子ＣＬ１［ｎ］が設けられている。すなわち、表示部１０Ｂは、図２に示す表示部１０が備える、液晶素子ＣＬ１［ｎ］、液晶素子ＣＬ２［ｎ］、及び、液晶素子ＣＬ３［ｎ］のうち、液晶素子ＣＬ１［ｎ］のみを備え、液晶素子ＣＬ２［ｎ］及び液晶素子ＣＬ３［ｎ］を備えない点を除き、第１実施形態に係る表示部１０と同様に構成される。
また、図１０に示すように、表示パネル２Ｂには、Ｎ個の液晶素子ＣＬ１［ｎ］に対応して、Ｎ本のデータ線ＤＬ１［ｎ］が設けられる。
【００７０】
光源３０Ｂは、表示部１０Ｂに対して、同時に１つの光Ｌｓを照射する。具体的には、光源３０Ｂは、表示部１０Ｂに対して、制御期間Ｐ１に赤色光ＬｓＲを照射し、制御期間Ｐ２に緑色光ＬｓＧを照射し、制御期間Ｐ３に青色光ＬｓＢを照射する。
また、データ線駆動回路２０Ｂは、液晶素子ＣＬ１［ｎ］に対して、データ線ＤＬ１［ｎ］を介して、データ信号ＶＤ１［ｎ］を供給する。
【００７１】
図１１は、表示装置１Ｂの動作を示すタイミングチャートである。
図１１に示すように、光源３０Ｂは、制御期間Ｐ１において、赤色光ＬｓＲを液晶素子ＣＬ１［ｎ］に照射し、単位期間Ｈ毎に、赤色光ＬｓＲの照射位置ＹＲを１画素分だけ（＋ｙ）方向に移動させる。
また、光源３０Ｂは、制御期間Ｐ２において、緑色光ＬｓＧを液晶素子ＣＬ１［ｎ］に照射し、単位期間Ｈ毎に、緑色光ＬｓＧの照射位置ＹＧを１画素分だけ（＋ｙ）方向に移動させる。
また、光源３０Ｂは、制御期間Ｐ３において、青色光ＬｓＢを液晶素子ＣＬ１［ｎ］に照射し、単位期間Ｈ毎に、青色光ＬｓＢの照射位置ＹＢを１画素分だけ（＋ｙ）方向に移動させる。
【００７２】
データ線駆動回路２０Ｂは、画素Ｐｘに光Ｌｓが照射されるときに、当該光Ｌｓが照射される画素Ｐｘが表示すべき階調を規定するデータ信号ＶＤを、当該光Ｌｓが照射される画素Ｐｘに対応する液晶素子ＣＬに対して供給する。
具体的には、データ線駆動回路２０Ｂは、制御期間Ｐ１のうち、画素Ｐｘ［ｍ］［ｎ］に赤色光ＬｓＲが照射される単位期間Ｈにおいて、当該画素Ｐｘ［ｍ］［ｎ］が赤色Ｒを表示するときの階調を規定するデータ信号ＶＲｍ［ｎ］を、データ信号ＶＤ１［ｎ］として液晶素子ＣＬ１［ｎ］に供給する（本実施形態において、ｍは、１≦ｍ≦Ｍを満たす自然数）。
また、データ線駆動回路２０Ｂは、制御期間Ｐ２のうち、画素Ｐｘ［ｍ］［ｎ］に緑色光ＬｓＧが照射される単位期間Ｈにおいて、当該画素Ｐｘ［ｍ］［ｎ］が緑色Ｇを表示するときの階調を規定するデータ信号ＶＧｍ［ｎ］を、データ信号ＶＤ１［ｎ］として液晶素子ＣＬ１［ｎ］に供給する。
また、データ線駆動回路２０Ｂは、制御期間Ｐ３のうち、画素Ｐｘ［ｍ］［ｎ］に青色光ＬｓＢが照射される単位期間Ｈにおいて、当該画素Ｐｘ［ｍ］［ｎ］が青色Ｂを表示するときの階調を規定するデータ信号ＶＢｍ［ｎ］を、データ信号ＶＤ１［ｎ］として液晶素子ＣＬ１［ｎ］に供給する。
【００７３】
このように、表示部１０Ｂが備える各画素Ｐｘには、各表示期間Ｆにおいて、赤色光ＬｓＲ、緑色光ＬｓＧ、及び、青色光ＬｓＢの３つの光Ｌｓが照射される。
このため、本実施形態に係る表示装置１は、各表示期間Ｆにおいて、各画素Ｐｘが、赤色Ｒ、緑色Ｇ、及び、青色Ｂの３色を表示する。
【００７４】
以上で説明したように、本実施形態に係る表示部１０Ｂは、各列に１個の液晶素子ＣＬを具備するものであるため、各列に複数の液晶素子ＣＬを具備する場合と比較して、表示部１０Ｂの構造を簡素化することができる。このため、本実施形態では、各列に複数の液晶素子ＣＬを具備する場合と比較して、表示装置１Ｂの製造コストを低く抑えることができる。
【００７５】
なお、本実施形態において、光源３０Ｂは、「直線状」の光Ｌｓを照射するものであるが、本発明はこのような態様に限定されるものではない。光源３０Ｂは、「点状」の光Ｐｓを照射するものであってもよい。この場合、第２実施形態における光源３０Ａと同様に、区分期間Ｔｘ毎に、光Ｐｓの照射位置をｘ軸方向に１画素分移動させるものであればよい（図７参照）。
また、光源３０Ｂは、例えば、図５（または図９）に示すように、光Ｌｓ（または、光Ｐｓ）の照射位置を、連続的に（例えば一定の速度で）移動させるものであってもよい。
＜Ｄ．第４実施形態＞
【００７６】
第１実施形態に係る表示装置１は、表示部１０に対して、光源３０が、赤色光ＬｓＲ、緑色光ＬｓＧ、及び、青色光ＬｓＢの３色の光Ｌｓを照射することにより、表示部１０に３つの色を表示させるものであった。
これに対して、第４実施形態に係る表示装置は、表示部が、カラーフィルターＣＦを具備することで、表示部が、３つの色を表示する点において、第１実施形態に係る表示装置１と相違する。以下、図１２乃至図１４を参照しつつ、第４実施形態に係る表示装置について説明する。
【００７７】
図１２は、本発明の第４実施形態に係る表示装置１Ｃ（「電気光学装置」の一例）のブロック図である。図１２に示す表示装置１Ｃは、表示パネル２の代わりに、表示パネル２Ｃを備える点を除き、図１に示す第１実施形態に係る表示装置１と同様に構成される。
【００７８】
表示パネル２Ｃは、表示部１０Ｃと、光源３０Ｃと、データ線駆動回路２０と、データ線ＤＬと、カラーフィルターＣＦ（図示省略）と、を備える。すなわち、表示パネル２Ｃは、表示部１０の代わりに表示部１０Ｃを備える点、光源３０の代わりに光源３０Ｃを備える点、及び、カラーフィルターＣＦを備える点を除き、図１に示す表示パネル２と同様に構成される。
カラーフィルターＣＦは、赤色Ｒの光を透過させるカラーフィルターＣＦＲ（「第１のカラーフィルター」の一例）と、緑色Ｇの光を透過させるカラーフィルターＣＦＧ（「第２のカラーフィルター」の一例）と、青色Ｂの光を透過させるカラーフィルターＣＦＢ（「第３のカラーフィルター」の一例）と、を含む。
【００７９】
図１２に示すように、表示部１０Ｃは、カラーフィルターＣＦ（ＣＦＲ、ＣＦＧ、ＣＦＢ）を備える点を除き、図２に示す表示部１０と同様に構成されている。
本実施形態では、カラーフィルターＣＦＲは、第ｎ１列の液晶素子ＣＬに対応して設けられ、カラーフィルターＣＦＧは、第ｎ２列の液晶素子ＣＬに対応して設けられ、カラーフィルターＣＦＲは、第ｎ３列の液晶素子ＣＬに対応して設けられる。なお、ｎ１は、ｎ１≡１（ｍｏｄ３）、且つ、１≦ｎ１≦Ｎを満たす自然数であり（つまり、ｎ１＝１、４、７、…）、ｎ２は、ｎ２≡２（ｍｏｄ３）、且つ、２≦ｎ２≦Ｎを満たす自然数であり（つまり、ｎ２＝２、５、８、…）、ｎ３は、ｎ３≡０（ｍｏｄ３）、且つ、３≦ｎ１≦Ｎを満たす自然数である（つまり、ｎ３＝３、６、９、…）。
以下では、カラーフィルターＣＦＲに対応して設けられる第ｎ１列の液晶素子ＣＬｋ［ｎ１］を、液晶素子ＣＬｋＲ［ｎ１］と称し、カラーフィルターＣＦＧに対応して設けられる第ｎ２列の液晶素子ＣＬｋ［ｎ２］を、液晶素子ＣＬｋＧ［ｎ２］と称し、カラーフィルターＣＦＢに対応して設けられる第ｎ３列の液晶素子ＣＬｋ［ｎ３］を、液晶素子ＣＬｋＢ［ｎ３］と称する。
【００８０】
図１３は、光源３０Ｃが照射する光Ｌｓの、表示部１０における照射位置を説明するための説明図である。
図１３に示すように、光源３０Ｃは、表示部１０Ｃに対して同時に３つの光Ｌｓを照射する。本実施形態において、光源３０Ｃが照射する３つの光Ｌｓは、全て白色Ｗ（「所定の色」の一例）の光である。より具体的には、光源３０Ｃは、表示部１０に対して、白色光ＬｓＷ１、白色光ＬｓＷ２、及び、白色光ＬｓＷ３の、３つの白色光ＬｓＷを同時に照射する。
すなわち、光源３０Ｃは、赤色光ＬｓＲ、緑色光ＬｓＧ、及び、青色光ＬｓＢの代わりに、白色光ＬｓＷ１、白色光ＬｓＷ２、及び、白色光ＬｓＷ３を照射する点を除き、図１に示す光源３０と同様に構成される。
【００８１】
以下では、表示部１０Ｃにおける白色光ＬｓＷ１の照射位置を表す線分を線分ＬＷ１と称し、白色光ＬｓＷ２の照射位置を表す線分を線分ＬＷ２と称し、白色光ＬｓＷ３の照射位置を表す線分を線分ＬＷ３と称する。また、線分ＬＷ１、ＬＷ２、ＬＷ３のｙ軸方向の位置を、それぞれ、照射位置ＹＷ１、ＹＷ２、ＹＷ３と称する。線分ＬＷ１、ＬＷ２、及び、ＬＷ３は、線分ＬＲ等と同様に、ｘ軸方向において、少なくともＸ１≦ｘ≦ＸＮの範囲を含む線分である。
【００８２】
光源３０Ｃは、３つの白色光ＬｓＷを、それぞれ、互いに異なる液晶素子ＣＬに照射するとともに、図１３において符号「ＭｖＹ」で表すように、各制御期間Ｐにおいて、これら３つの白色光ＬｓＷの照射位置をｙ軸方向に移動させる。
【００８３】
図１４は、表示装置１Ｃの動作を示すタイミングチャートである。
図１４に示すように、光源３０Ｃは、各制御期間Ｐが開始されるタイミングにおいて、白色光ＬｓＷ１の照射位置ＹＷ１が、液晶素子ＣＬ１［ｎ］の（−ｙ）方向の端部に設けられる画素Ｐｘ［１］［ｎ］に対応する位置Ｙ１（図１４においてＹ１）となるように白色光ＬｓＷ１を照射し、白色光ＬｓＷ２の照射位置ＹＷ２が、液晶素子ＣＬ２［ｎ］の（−ｙ）方向の端部に設けられる画素Ｐｘ［Ｍ＋１］［ｎ］に対応する位置ＹＭ＋１（図１４においてＹ１１）となるように白色光ＬｓＷ２を照射し、白色光ＬｓＷ３の照射位置ＹＷ３が、液晶素子ＣＬ３［ｎ］の（−ｙ）方向の端部に設けられる画素Ｐｘ［２Ｍ＋１］［ｎ］に対応する位置Ｙ２Ｍ＋１（図１４においてＹ２１）となるように白色光ＬｓＷ３を照射する。
そして、光源３０Ｃは、各制御期間Ｐにおいて、３つの白色光ＬｓＷの各々のｙ軸方向の照射位置（ＹＷ１、ＹＷ２、ＹＷ３）が、単位期間Ｈ毎にそれぞれ１画素分だけ（＋ｙ）方向に移動するように、当該３つの白色光ＬｓＷを照射する。
これにより、光源３０Ｃは、各単位期間Ｈにおいて、３つの白色光ＬｓＷを、互いに異なる液晶素子ＣＬに照射する。
【００８４】
なお、図１４に示す３つの白色光ＬｓＷの照射位置は一例に過ぎず、光源３０Ｃは、例えば、３つの白色光ＬｓＷのそれぞれの照射位置（ＹＷ１、ＹＷ２、ＹＷ３）を、図３に示す３つの光Ｌｓ（ＬｓＲ、ＬｓＧ、ＬｓＢ）の照射位置（ＹＲ、ＹＧ、ＹＢ）と同様となるように、当該３つの白色光ＬｓＷを照射するものであってもよい。
【００８５】
データ線駆動回路２０は、画素Ｐｘに光Ｌｓが照射されるときに、当該光Ｌｓが照射される画素Ｐｘが表示すべき階調を規定するデータ信号ＶＤを、当該光Ｌｓが照射される画素Ｐｘに対応する液晶素子ＣＬに対して供給する。
本実施形態において、第ｎ１列の液晶素子ＣＬに対応して設けられる画素Ｐｘ［ｍ］［ｎ１］は、赤色Ｒを表示し、第ｎ２列の液晶素子ＣＬに対応して設けられる画素Ｐｘ［ｍ］［ｎ２］は、緑色Ｇを表示し、第ｎ３列の液晶素子ＣＬに対応して設けられる画素Ｐｘ［ｍ］［ｎ３］は、青色Ｂを表示する。
そのため、データ線駆動回路２０は、赤色Ｒを表示可能な画素Ｐｘ［ｍ］［ｎ１］が、液晶素子ＣＬｋ［ｎ１］に対応して設けられる場合、当該画素Ｐｘ［ｍ］［ｎ１］に白色光ＬｓＷが照射される単位期間Ｈにおいて、当該画素Ｐｘ［ｍ］［ｎ１］が表示すべき階調を規定するデータ信号ＶＲｍ［ｎ１］を、データ信号ＶＤｋ［ｎ１］として液晶素子ＣＬｋ［ｎ１］に供給する。
また、データ線駆動回路２０は、緑色Ｇを表示可能な画素Ｐｘ［ｍ］［ｎ２］が、液晶素子ＣＬｋ［ｎ２］に対応して設けられる場合、当該画素Ｐｘ［ｍ］［ｎ２］に白色光ＬｓＷが照射される単位期間Ｈにおいて、当該画素Ｐｘ［ｍ］［ｎ２］が表示すべき階調を規定するデータ信号ＶＧｍ［ｎ２］を、データ信号ＶＤｋ［ｎ２］として液晶素子ＣＬｋ［ｎ２］に供給する。
また、データ線駆動回路２０は、青色Ｂを表示可能な画素Ｐｘ［ｍ］［ｎ３］が、液晶素子ＣＬｋ［ｎ３］に対応して設けられる場合、当該画素Ｐｘ［ｍ］［ｎ３］に白色光ＬｓＷが照射される単位期間Ｈにおいて、当該画素Ｐｘ［ｍ］［ｎ３］が表示すべき階調を規定するデータ信号ＶＢｍ［ｎ３］を、データ信号ＶＤｋ［ｎ３］として液晶素子ＣＬｋ［ｎ３］に供給する。
【００８６】
以上で説明したように、本実施形態に係る表示部１０Ｃは、カラーフィルターＣＦＲに対応して設けられ赤色Ｒを表示する画素Ｐｘ［ｍ］［ｎ１］と、カラーフィルターＣＦＧに対応して設けられ緑色Ｇを表示する画素Ｐｘ［ｍ］［ｎ２］と、カラーフィルターＣＦＢに対応して設けられ青色Ｂを表示する画素Ｐｘ［ｍ］［ｎ３］と、を備える。すなわち、本実施形態に係る表示装置１Ｃは、光源３０Ｃが、白色光ＬｓＷのみを照射する場合であっても、赤色Ｒ、緑色Ｇ、青色Ｂの３色を表示することができる。このため、３色の光ＬｓＲ、ＬｓＧ、及び、ＬｓＧを照射する場合と比較して、光源３０Ｃの構造を簡素化することができ、表示装置１Ｃの製造コストを低く抑えることが可能となる。
【００８７】
なお、本実施形態において、光源３０Ｃは、「直線状」の光Ｌｓを照射するものであるが、本発明はこのような態様に限定されるものではない。光源３０Ｃは、第２実施形態に係る光源３０Ａのように、「点状」の光Ｐｓを照射するものであってもよい。この場合、光源３０Ｃが照射する光Ｐｓは、白色光であることが好ましい。また、この場合、第２実施形態における光源３０Ａと同様に、区分期間Ｔｘ毎に、光Ｐｓの照射位置をｘ軸方向に１画素分移動させるものであればよい（図７参照）。
また、光源３０Ｃは、例えば、図５（または図９）に示すように、光Ｌｓ（または、光Ｐｓ）の照射位置を、連続的に（例えば一定の速度で）移動させるものであってもよい。
【００８８】
また、本実施形態において、表示部１０Ｃには、縦３行の液晶素子ＣＬが設けられるが、本発明はこのような態様に限定されるものではない。表示部１０Ｃは、第３実施形態に係る表示部１０Ｂのように、縦１行の液晶素子ＣＬが設けられるものであってもよい。この場合、光源３０Ｃは、同時に１つの白色光ＬｓＷを照射するものであればよい。
【００８９】
＜Ｅ．変形例＞  
以上の各形態は多様に変形され得る。具体的な変形の態様を以下に例示する。以下の例示から任意に選択された２以上の態様は、相互に矛盾しない範囲内で適宜に併合され得る。
【００９０】
＜変形例１＞
上述した実施形態において、表示部（１０、１０Ｂ、または、１０Ｃ）は、縦３行または縦１行の液晶素子ＣＬを備えるが、本発明はこのような態様に限定されるものではなく、各列に所定数Ｋ（Ｋは、１≦Ｋを満たす自然数）の液晶素子ＣＬを具備するものであってもよい。すなわち、表示部は、各列に液晶素子ＣＬ１［ｎ］〜ＣＬＫ［ｎ］の縦Ｋ行の液晶素子ＣＬからなるブロックＢＬ［ｎ］を備えるものであってもよい。
【００９１】
この場合、光源（３０、３０Ａ、３０Ｂ、または、３０Ｃ）は、上述した条件（１）及び（２）を満たすように、光Ｌｓまたは光Ｐｓを表示部に照射するものであればよい。
例えば、光源は、同時に所定数Ｋの光Ｌｓまたは光Ｐｓを照射するものであってもよい。この場合、光源は、各単位期間Ｈにおいて、所定数Ｋの光Ｌｓまたは光Ｐｓの各々を、縦Ｋ行のうち各行の液晶素子ＣＬのそれぞれに１対１に対応して照射するものであればよい。
また、光源は、例えば、同時に１つの光Ｌｓまたは光Ｐｓを照射するものであってもよい。この場合、制御部５は、表示期間Ｆを所定数Ｋの制御期間Ｐに区分するような駆動制御信号ＣｔｒＤ及び光源制御信号ＣｔｒＬを生成するものであり、また、光源は、所定数Ｋの制御期間Ｐの各々において、１つの光Ｌｓまたは光Ｐｓを、全ての液晶素子ＣＬに対応する全ての画素Ｐｘに対して照射するものであればより好ましい。
【００９２】
＜変形例２＞
上述した実施形態及び変形例において、表示装置（１、１Ａ、１Ｂ、または、１Ｃ）は、赤色Ｒ、緑色Ｇ、青色Ｂの３色を表示できるが、本発明はこのような態様に限定されるものではなく、表示装置は、１または２以上の色を表示可能なものであればよい。
例えば、表示装置が、所定数Ｋの色を表示可能である場合、光源は、所定数Ｋの色のそれぞれに対応する所定数Ｋの光Ｌｓまたは光Ｐｓを照射するものであってもよいし、表示部は、所定数Ｋの色のそれぞれに対応する所定数Ｋの種類のカラーフィルターＣＦを備えるものであってもよい。
【００９３】
＜変形例３＞
上述した実施形態及び変形例において、表示部（１０、１０Ｂ、または、１０Ｃ）は、液晶素子ＣＬを備えるが、本発明はこのような態様に限定されるものではなく、
透過率が可変な電気光学素子を具備するものであればよい。
また、表示部は、例えば、シャッターのように、光源から照射される光の光量を調整可能な電気光学素子を具備するものであってもよい。
【００９４】
＜変形例４＞
上述した実施形態及び変形例では、ｙ軸方向を、第１の方向と定め、液晶素子ＣＬを、ｙ軸方向に延在するように（ｙ軸方向に縦長となるような形状に）設けるものであるが、本発明はこのような形態に限定されるものではなく、ｘ軸方向を、第１の方向と定め、液晶素子ＣＬを、ｘ軸方向に延在するように（ｘ軸方向に縦長となるような形状に）設けるものであってもよい。この場合、ｙ軸方向を第２の方向と定め、光Ｌｓを、ｙ軸方向に広がりを有する直線状の光とし、且つ、各制御期間Ｐにおいて、光Ｌｓまたは光Ｐｓの照射位置をｘ軸方向に移動させるものであってもよい。
また、第１の方向は、ｘ軸方向及びｙ軸方向とは異なる任意の方向としてもよい。この場合、液晶素子ＣＬが延在する方向、各制御期間Ｐにおいて光Ｌｓまたは光Ｐｓが移動する方向は、ｘ軸方向及びｙ軸方向とは異なる第１の方向となる。また、この場合、光Ｌｓが広がりを有する方向である第２の方向は、第１の方向とは異なる方向であれば、どのような方向であってもよい。
【００９５】
＜変形例５＞
上述した実施形態及び変形例において、表示部（１０、１０Ｂ、または、１０Ｃ）は、ブラックマトリクスＢＭを備えるが、本発明はこのような形態に限定されるものではなく、表示部は、ブラックマトリクスＢＭを備えないものであってもよい。この場合であっても、各単位期間Ｈにおける光の照射位置により、画素Ｐｘを定義することができる。
より具体的には、一の単位期間Ｈにおいて、光Ｌｓまたは光Ｐｓの照射位置が、位置Ｘｎ及び位置Ｙｍである場合、表示部１０のうち、当該位置Ｘｎ及び位置Ｙｍにより定められる部分が、当該一の単位期間Ｈにおいて表示に寄与する部分となり、当該部分が１つの画素Ｐｘとして定義されることになる。そのため、ブラックマトリクスＢＭを設けない場合であっても、表示部１０の観察者は、表示部が複数の画素Ｐｘを備えるものとして視認することになる。
【００９６】
＜Ｆ．応用例＞
以上の各形態に例示した表示装置は、各種の電子機器に利用され得る。図１５から図１７には、表示装置を採用した電子機器の具体的な形態が例示されている。
【００９７】
図１５は、表示装置を適用した投射型表示装置（３板式のプロジェクター）４０００の模式図である。投射型表示装置４０００は、表示装置を含んで構成される。より具体的には、投射型表示装置４０００は、相異なる表示色（赤色，緑色，青色）に対応する３個の表示部１０（１０R，１０G，１０B）と、白色光ＬｓＷを照射する光源３０Ｃと、データ線駆動回路２０と、制御部５とを含んで構成される。
照明光学系４００１は、光源３０Ｃから出射される白色光ＬｓＷのうち、赤色Ｒの成分を有する赤色光ＬｓＲを表示部１０Rに供給し、緑色Ｇの成分を有する緑色光ＬｓＧを表示部１０Gに供給し、赤色Ｒの成分を有する赤色光ＬｓＲを表示部１０Rに供給する。各表示部１０は、光源３０Ｃから供給される光Ｌｓを表示画像に応じて変調する光変調器（ライトバルブ）として機能する。投射光学系４００３は、各表示部１０からの出射光を合成して投射面４００４に投射する。観察者は、投射面４００４に投射された画像を視認する。
【００９８】
図１６は、表示装置１を採用した可搬型のパーソナルコンピューターの斜視図である。パーソナルコンピューター２０００は、各種の画像を表示する表示装置１と、電源スイッチ２００１やキーボード２００２が設置された本体部２０１０とを具備する。
【００９９】
図１７は、表示装置１を適用した携帯電話機の斜視図である。携帯電話機３０００は、複数の操作ボタン３００１及びスクロールボタン３００２と、各種の画像を表示する表示装置１とを備える。スクロールボタン３００２を操作することによって、表示装置１に表示される画面がスクロールされる。
【０１００】
なお、本発明に係る表示装置が適用される電子機器としては、図１５から図１７に例示した機器のほか、携帯情報端末（ＰＤＡ：Personal Digital Assistants），デジタルスチルカメラ，テレビ，ビデオカメラ，カーナビゲーション装置，車載用の表示器（インパネ），電子手帳，電子ペーパー，電卓，ワードプロセッサ，ワークステーション，テレビ電話，ＰＯＳ端末，プリンター，スキャナー，複写機，ビデオプレーヤー，タッチパネルを備えた機器等などが挙げられる。
【符号の説明】
【０１０１】
１……表示装置、２……表示パネル、５……制御部、１０……表示部、２０……データ線駆動回路、３０……光源、ＣＬ……液晶素子、ＤＬ……データ線。
【図１】
2014206668.tif 000003
【図３】
2014206668.tif 000004
【図５】
2014206668.tif 000005
【図６】
2014206668.tif 000006
【図７】
2014206668.tif 000007
【図８】
2014206668.tif 000008
【図９】
2014206668.tif 000009
【図１０】
2014206668.tif 000010
【図１１】
2014206668.tif 000011
【図１２】
2014206668.tif 000012
【図１４】
2014206668.tif 000013
【図１５】
2014206668.tif 000014
【図１６】
2014206668.tif 000015
【図１７】
2014206668.tif 000016
【図２】
2014206668.tif 000017
【図４】
2014206668.tif 000018
【図１３】
2014206668.tif 000019